(57)【特許請求の範囲】
【請求項１】
少なくとも動画像が圧縮されて記録された記録媒体を用いる画像編集装置において、
上記記録媒体に記録された圧縮された動画像から複写すべき動画像を選択する画像選択手段と、
上記画像選択手段で選択された各画像ごとに編集マスク処理部分を指定するマスクｉｎ情報及びマスクｏｕｔ情報を付与する編集情報付与手段と、
上記画像選択手段で選択された動画像を圧縮状態のまま外部装置に出力する出力手段と、
上記編集情報付与手段で付与された上記マスクｉｎ情報及び上記マスクｏｕｔ情報に従って、上記出力手段で出力する当該動画像から上記マスク処理部分を編集削除する編集手段と、
使用者を特定するＩＤ情報を上記選択された動画像の上記マスク処理部分に付与するＩＤ情報付与手段と、
を具備し、
上記出力手段は、上記編集手段により上記選択された動画像から上記マスク処理部分を削除して出力するか、または選択された動画像と共に上記マスク処理部分に上記ＩＤ情報を付加して出力することを特徴とする画像編集装置。
【請求項２】
動画像を再生する再生手段を更に具備し、
上記編集情報付与手段は、上記マスクｉｎ情報と、上記マスクｏｕｔ情報を、上記再生手段で当該動画像が再生中に、使用者により指定することを特徴とする請求項１に記載の画像編集装置。
【発明の詳細な説明】
【０００１】
【発明の属する技術分野】
本発明は、動画と静止画とが混在してディジタル記録されたディスク媒体から、上記動画と静止画の編集及び記録が可能な画像編集装置に関するものである。
【０００２】
【従来の技術】
画像データの複写には、画像を再生することで内容を確認しながら複写を行う方式と、画像の確認を行うことなく圧縮状態のまま複写を行う方式とがある。例えば、圧縮状態のまま複写を行う方式として、特開平６−２８２６２５号公報によれば、コピー元キャビネットに記録されている画像情報がＭＨ方式またはＭＲ方式で圧縮記録されている画像情報か否かを確認し、そうであれば、ＭＭＲ方式で圧縮して、画像メモリに転送した後、コピー先キャビネットにコピーし、コピー元キャビネットの画像情報がＭＭＲ方式で圧縮記録されている場合には、そのままコピー元キャビネットに記録されている圧縮方式でコピー先キャビネットにコピーするという手法が提案されている。
【０００３】
また、最近は画像情報のデータ量が大きくなっており、特に高精細な静止画や動画は容量が大きく、圧縮処理が行われるのが普通である。圧縮された画像情報を見るためには復元処理が必要になる。
【０００４】
【発明が解決しようとする課題】
しかしながら、画像の確認を行うことなく圧縮状態のまま複写を行う場合は、圧縮された画像情報をそのまま複写するため、その画像の複写が必要か、不必要かの判断を行うのが困難であった。
【０００５】
また、画像を再生することで内容を確認しながら複写を行う場合は、圧縮された画像などは情報を伸長して再生し、その後圧縮処理を行うので多くの時間を必要とした。
【０００６】
そこで本発明は、上記課題に鑑みてなされたものであり、記録媒体に記録された大容量の画像情報のうち必要な画像情報のみを短い時間で編集、複写することができる画像編集装置を提供することを目的とする。
【０００７】
【課題を解決するための手段】
上記目的を達成するために、本発明の画像編集装置は、少なくとも動画像が圧縮されて記録された記録媒体を用いる画像編集装置において、上記記録媒体に記録された圧縮された動画像から複写すべき動画像を選択する画像選択手段と、上記画像選択手段で選択された各画像ごとに編集マスク処理部分を指定するマスクｉｎ情報及びマスクｏｕｔ情報を付与する編集情報付与手段と、上記画像選択手段で選択された動画像を圧縮状態のまま外部装置に出力する出力手段と、上記編集情報付与手段で付与された上記マスクｉｎ情報及び上記マスクｏｕｔ情報に従って、上記出力手段で出力する当該動画像から上記マスク処理部分を編集削除する編集手段と、使用者を特定するＩＤ情報を上記選択された動画像の上記マスク処理部分に付与するＩＤ情報付与手段と、を具備し、上記出力手段は、上記編集手段により上記選択された動画像から上記マスク処理部分を削除して出力するか、または選択された動画像と共に上記マスク処理部分に上記ＩＤ情報を付加して出力することを特徴とする。
【０００９】
また、本発明の画像編集装置は、動画像を再生する再生手段を更に具備し、上記編集情報付与手段は、上記マスクｉｎ情報と、上記マスクｏｕｔ情報を、上記再生手段で当該動画像が再生中に、使用者により指定することを特徴とする。
【００１０】
すなわち、本発明の画像編集装置は、動画と静止画とが混在してディジタル圧縮記録されたディスク媒体を用いる画像編集装置であって、上記ディスク媒体に記録されたディジタル圧縮画像が入力手段により読み出され、上記入力手段により入力された圧縮画像が所定の作業領域に複写されて、復元手段によりそれぞれの圧縮前の状態に復元される。そして、上記復元手段により復元された画像が表示手段により一覧表示され、この復元画像の中から複写すべき画像が選択手段により選択されて、この選択された画像が出力手段により圧縮状態のまま外部装置に出力される。
【００１１】
【発明の実施の形態】
以下、図面を参照して本発明の実施の形態を説明する。
図１は、本発明に係る第１の実施の形態の画像編集装置の構成を示す図である。
【００１２】
この画像編集装置は、圧縮した画像情報とインデックス情報が記録されたディスク２よりディジタル値の上記圧縮した画像情報とインデックス情報とを読み取る情報入力部４と、上記圧縮した画像情報を圧縮前の画像情報に伸長する情報復元部６と、この情報復元部６により伸長された画像情報に基づく画像や上記インデックス情報に基づくインデックス画像の表示を行う表示部８と、表示されたインデックス画像から複写を行う画像を選択する選択部１０と、選択された画像を圧縮状態のまま出力する情報出力部１２と、上記情報入力部４、選択部１０、表示部８、情報出力部１２の動作を制御する制御部１４とで構成される。
【００１３】
上述のように構成された画像編集装置おいて、上記情報入力部４はディスク２より上記圧縮された画像情報とインデックス情報とを読み取る。情報復元部６は、上記圧縮された画像情報を伸長して制御部１４または表示部８に伸長した画像情報を提供する。
【００１４】
上記制御部１４は、情報入力部４からのインデックス情報と上記伸長した画像情報を基に、タイトルに対応するマルチのインデックス表示を作成し、表示部８に該インデックス表示を出力する。表示部８は、伸長された画像情報に基づいて復元された画像、または上記インデックス情報に基づくインデックス画像を表示する。
【００１５】
上記選択部１０は、操作者が上記インデックス画像の中から選択した複写を意図する画像に応じた信号を制御部１４へ出力する。制御部１４は選択部１０からの上記信号に応じて、選択された画像情報を複写する次のような動作を制御する。情報入力部４は、制御部１４からの指令により上記選択された画像情報を圧縮状態のまま情報出力部１２へ出力する。情報出力部１２は、受け取った画像情報を圧縮状態のまま、外部の記録媒体へ出力する。
【００１６】
このとき、上記選択された画像情報の出力は予め圧縮状態で記憶しておいて出力してもよく、また再度ディスク２から圧縮状態で読み出しそのまま出力してもよい。この場合インデックス情報も同時に出力する。インデックス情報は各々の画像情報のタイトルとして、自動または意図的に付加されるものであり、このインデックス情報の付加の方法は本発明と同一出願人によって先に出願された特願平８−１２０１３号等によりすでに提案されている。
【００１７】
次に、第１の実施の形態の画像編集装置の動作について説明する。
図２は、この画像編集装置の動作としての制御部１４の処理を示すフローチャートである。
【００１８】
この画像編集装置において複写が開始されると（ステップＳ１）、まず制御部１４はイニシャライズを行う。このイニシャライズでは、変数ｉ，ｊにそれぞれ“１”が設定される（ステップＳ２）。続いて、制御部１４はインデックス情報に基づいて、情報入力部４によりタイトル画像（ｉ）の読み込みを行い（ステップＳ３）、読み込んだ圧縮された上記タイトル画像を情報復元部６により復元してインデックス画像を作成する（ステップＳ４）。そして、このインデックス画像を情報復元部６内のメモリにＭ（ｉ）で記録する（ステップＳ５）。
【００１９】
次に、制御部１４は上記タイトル画像がすべて読み出されたか否かを判定する（ステップＳ６）。すべて読み出されていないときは、変数ｉをインクリメントして（ステップＳ７）、上記ステップＳ３へ戻り、ステップＳ３以降の処理を繰り返す。一方、すべての読み出しが終了したときは、制御部１４はインデックス画像を表示部８に表示させる（ステップＳ８）。
【００２０】
続いて、操作者は選択部１０により複写を行う画像を選択する。このとき、選択された画像情報はメモリにＮ（ｊ）で格納される（ステップＳ９）。制御部１４は「複写」または「終了」のいずれが選択されたか否かを判定する（ステップＳ１０）。いずれも選択されていないときは、上記ステップＳ９へ戻る。「終了」が選択されているときは、ステップＳ１５へ飛び、本動作を終了する。
【００２１】
また、「複写」が選択されているときは、上記メモリにＮ（ｊ）で格納されている画像情報を圧縮された画像情報のまま、情報出力部１２により外部に出力する（ステップＳ１１，Ｓ１２）。続いて、制御部１４は上記メモリにＮ（ｊ）で格納されている画像情報の出力がすべて終了したか否かを判定する（ステップＳ１３）。すべて終了していないときは、変数ｊをインクリメントして（ステップＳ１４）、上記ステップＳ１１へ戻り、ステップＳ１１以降の処理を繰り返す。そして、すべて終了したときは、本動作を終了する（ステップＳ１５）。
【００２２】
なお、上記タイトル画像を読み込んでインデックス画像を作成する毎に表示部８に表示していくことにより、操作者に読み込んでいる様子を知らせるようにしてもよい。また、ディスク全てをスキャンしてインデックス情報を集めてもよく、ディスクがインデックス情報を特定の領域にもつようにしてもよい。さらに、外部へ出力する時には、基のディスクを再度アクセスして圧縮画像を読み出してもよく、また一度の上記タイトル画像を読み込みインデックス画像を作成したときに圧縮画像として保存したのを出力するようにしてもよい。
【００２３】
図３は、上記インデックス画像の表示例を示す図である。
表示部８の表示画面には、静止画２０、動画のタイトル画像２２、「複写」及び「終了」の選択スイッチ表示２４、スクロールバー２６が配置されている。静止画２０と動画のタイトル画像２２とは、枠のデザインを変えることにより、区別可能になっている。また、静止画２０及び動画のタイトル画像２２の画像内の左上部に付与された番号が、上記変数ｉに相当する。
【００２４】
ここで、「複写」、「終了」の動作は、表示画面上において直接、カーソルで選択して指示してもよく、別操作によって指示してもよい。さらに、複写する画像の選択も、同様に表示画面上において直接、カーソルで選択して指示してもよく、別操作によって指示してもよい。「複写」において動画のタイトル画像２２が選択された場合は関連する動画がすべて複写され、静止画２０が選ばれた場合は１枚の画像が複写される。
【００２５】
また、インデックス画像の中から選択された画像は非選択画像と明確に区別できるように、枠の表示を変えるなどの表示状態の変更を行う。また、複写動作中は複写を実行中の画像と「複写」の選択スイッチ表示２４を点滅させるなどにより、複写を実行中であることを伝えるようにする。さらに、「複写」を終了した画像と「複写」前の画像とを区別できるように、表示状態を変更することが望ましい。
【００２６】
以上説明したように本第１の実施の形態によれば、大容量の画像情報が記録された記録媒体から必要な画像情報のみを的確に短時間で編集して複写することができる。また、圧縮された画像情報から、静止画にあってはその復元画像、及び動画にあってはその内容を示す画像情報をインデックスとして表示して選択可能とすることにより、必要な画像のみを短時間で複写することができる。また、記憶容量の小さい記憶媒体を有する装置であっても、ディスク媒体に記録された画像情報からその画像の内容を確認しながら必要な画像のみを短時間に複写することができる。
【００２７】
次に、本発明に係る第２の実施の形態の画像編集装置について説明する。
この第２の実施の形態では、記録媒体として書き換え可能なＤＶＤ（ＤigitalＶideo  Ｄisc ）に、動画と高精細な静止画を記録するシステムにおける画像の複写に関して説明する。また、撮影された画像を編集、複写する部分に関して説明し、撮影部分については省略する。また、ＤＶＤには、タイトルマーク等の画像選択に必要な情報が記録されており、さらに、編集の有り無しを示すコードも記録されている。なお、上記タイトルマーク等には、記録した日付及び時間等も含まれる。
【００２８】
図４は、第２の実施の形態の画像編集装置の構成を示す図である。
この画像編集装置は、圧縮された画像情報が記録されたＤＶＤ３０に対して画像情報の読み書きを行う入出力回路３２と、ＤＶＤ３０から上記入出力回路３２に読み込んだ画像情報を取り込みそのまま外部に出力する外部出力回路３４と、画像情報を記録する画像ＲＡＭ３６と、読み込んだ画像情報からその画像を復元し表示装置に出力する画像表示出力回路３８と、操作者によって入力された操作に応じた信号を出力するスイッチ入力回路４０と、画像を表示するモニタ４２と、これら構成部材の動作を制御するＣＰＵ４４にて構成される。なお、モニタ４２はこの装置内に内蔵していても、外部に設けられていてもどちらでもよい。
【００２９】
次に、本画像編集装置においてＤＶＤ３０に記録された画像情報を編集、複写する場合の動作について説明する。
ＣＰＵ４４は、入出力回路３２を介してＤＶＤ３０よりインデ読み込み、インデックス表示用の画像（以下インデックス画像と記す）を作成する。この作成したインデックス画像を画像ＲＡＭ３６に記録すると共に、画像表示出力回路３８を介してモニタ４２またはＮＴＳＣ出力に上記インデックス画像を出力する。
【００３０】
操作者は、インデックス画像を見ながらスイッチ入力回路４０を介して編集、複写の操作を行う。編集の場合、ＣＰＵ４４はスイッチ入力回路４０の操作状況に応じてモニタ４２の表示を変化させると共に、入出力回路３２を介してＤＶＤ３０に新しいインデックス情報を記録する。また、複写の場合、ＣＰＵ４４は同様にスイッチ入力回路４０の操作状況に応じてモニタ４２の表示を変化させると共に、外部出力回路３４を介して外部に複写のための画像情報を出力する。また、編集されたＤＶＤの場合は、編集された画像のみを複写可能にする。
【００３１】
図５は、本画像編集装置の動作を示すメインフローチャートである。
本画像編集装置において動作が開始されると（ステップＳ２１）、まずＣＰＵ４４は編集モードが指示されたか否かを判定する（ステップＳ２２）。ここで、編集モードが指示されたときは、後述するサブルーチン「編集」を実行する（ステップＳ２３）。続いて、ＣＰＵ４４は複写モードが指示されたか否かを判定し（ステップＳ２４）、複写モードではないためステップＳ２９へ飛び、本動作を終了する（ステップＳ２９）。
【００３２】
上記ステップＳ２２にて編集モードが指示されていないときは、上記ステップＳ２４へ飛び、複写モードが指示されたか否かを判定する（ステップＳ２４）。ここで、複写モードが指示されているときは、ＣＰＵ４４はディスクサーチを行い（ステップＳ２５）、編集コードの有無を判定する（ステップＳ２６）。編集コードがあるときは、すでに必要な画像が編集されているものとして後述するサブルーチン「複写１」を行い（ステップＳ２７）、本動作を終了する（ステップＳ２９）。一方、編集コードがないときは、インデックス画像による選択にて後述するサブルーチン「複写２」を行い（ステップＳ２８）、本動作を終了する（ステップＳ２９）。また、上記ステップＳ２２，Ｓ２４にて編集モードまたは複写モードのどちらも指示されていないときは、ステップＳ２９へ飛び、本動作を終了する。
【００３３】
図６は、図５に示したフローチャート中の「編集」の処理を示すフローチャートである。
「編集」が開始されると（ステップＳ３１）、ＣＰＵ４４はディスクサーチを行い（ステップＳ３２）、インデックス画像を取得するためのサブルーチン「画像情報入手」を実行する（ステップＳ３３）。
【００３４】
そして、操作者により、操作またはインデックスとして表示された画像の選択が行われ、その内容がＣＰＵ４４に入力されると（ステップＳ３４）、ＣＰＵ４４は選択された内容を判定する（ステップＳ３５）。ここで、選択された内容が静止画のインデックス画像であるときは、該静止画の画像情報を再度ＤＶＤ３０から読み出してモニタ４２の全画面に表示させ、操作者からマスク処理を行うか否かの指示を受け取る（ステップＳ３６）。このとき、インデックス画像は画像ＲＡＭ３６に記録したままにしておく。なお、ここでの上記マスク処理とは、インデックス表示される静止画を選択不能とすることである。
【００３５】
次に、ＣＰＵ４４はマスク処理の指示の有無を判定する（ステップＳ３７）。マスク処理の指示がないときは、上記ステップＳ３４へ戻り、ステップＳ３４以降の処理を繰り返す。一方、マスク処理の指示があるときは、ＣＰＵ４４はＤＶＤ３０に記録された上記静止画に対応するインデックス情報に上記マスク処理を示すマスク情報を追加する（ステップＳ３８）。さらに、編集コード有りを示す情報をインデックス情報に追加し（ステップＳ３９）、上記ステップＳ３４へ戻り、ステップＳ３４以降の処理を繰り返す。
【００３６】
一方、上記ステップＳ３５にて選択された内容が動画のインデックス画像のときは、ＤＶＤ３０に記録された該動画情報を画像表示出力回路３８により復元しモニタ４２にスロー再生を行う（ステップＳ４０）。続いて、ＣＰＵ４４はこのスロー再生を終了したか否かを判定する。ここで、上記スロー再生、すなわち、選択されたインデックス画像に対応する画像の再生が終了したときは、マスクｉｎ状態か否かを判定する（ステップＳ４７）。マスクｉｎ状態であるときは、マスクｏｕｔ情報と編集コード有りを示す情報をインデックス情報に追加して（ステップＳ４８，Ｓ４９）、上記ステップＳ３４へ戻り、ステップＳ３４以降の処理を繰り返す。マスクｉｎ状態でないときは、そのまま上記ステップＳ３４へ戻り、ステップＳ３４以降の処理を繰り返す。
【００３７】
また、上記ステップＳ４１にて選択されたインデックス画像に対応する画像の再生が終了していないときは、ＣＰＵ４４はマスクｉｎ（開始）を判定する（ステップＳ４２）。このマスクｉｎは、操作者の操作にて行われる。ここで、マスクｉｎのときは、マスクｉｎの情報をＤＶＤ３０のインデックス情報に追加する（ステップＳ４３）。マスクｉｎでないときは、上記ステップＳ４０へ戻り、ステップＳ４０以降の処理を繰り返す。
【００３８】
続いて、ＣＰＵ４４はマスクｏｕｔ（終了）を判定する（ステップＳ４４）。このマスクｏｕｔも、操作者の操作または終了にて行われる。ここで、マスクｏｕｔのときは、マスクｏｕｔの情報と編集コード有りを示す情報をインデックス情報に追加して（ステップＳ４５，Ｓ４６）、上記ステップＳ４０へ戻り、ステップＳ４０以降の処理を繰り返す。マスクｏｕｔでないときは、上記ステップＳ４０へ戻り、ステップＳ４０以降の処理を繰り返す。なお、上記マスクｉｎは、動画においてある再生期間中、再生不能とする処理の開始を示し、マスクｏｕｔは再生不能とする処理の終了を示すものであり、マスクｉｎ〜マスクｏｕｔまでの期間は、動画の画像が再生されない状態となる。
【００３９】
また、上記ステップＳ３５にて選択された内容が終了であるときは、そのまま「編集」の処理を終了する。
図７は、図６に示したフローチャート中の「画像情報入手」の処理を示すフローチャートである。
【００４０】
「画像情報入手」の処理が開始されると（ステップＳ５１）、ＣＰＵ４４はイニシャライズを行う。このイニシャライズでは、変数ｉに“１”が設定される（ステップＳ５２）。
【００４１】
続いて、ＣＰＵ４４は入出力回路３２によりインデックス情報の圧縮された画像情報（ｉ）を読み込む（ステップＳ５３）。そして、読み込んだ上記圧縮された画像情報（ｉ）を復元しインデックス画像を作成して（ステップＳ５４）、画像ＲＡＭ３６にＩＧ（ｉ）で上記インデックス画像を記録する（ステップＳ５５）。さらに、ＣＰＵ４４はモニタ４２の画面に上記インデックス画像を順次追加して表示していく（ステップＳ５６）。
【００４２】
次に、ＣＰＵ４４はインデックス画像の読み出しが終了したかを判定する（ステップＳ５７）。ここで、インデックス画像の読み出しが終了していないときは、変数ｉをインクリメントして（ステップＳ５８）、上記ステップＳ５３へ戻り、ステップＳ５３以降の処理を繰り返す。一方、全てのインデックス画像が読み出されたときは、「画像情報入手」の処理を終了する（ステップＳ５９）。
【００４３】
なお、上記インデックス画像はタイトルの付けられた画像であって、タイトルの付加方法は自動または意図的に付加されるものであり、このタイトルの付加方法は、例えば、上記特願平８−１２０１３号等によりすでに提案されている。
【００４４】
図８は、図５に示したメインフローチャート中の「複写１」の処理を示すフローチャートである。この「複写１」では、ＩＤよるセキュリティ機能を有する複写が可能である。
【００４５】
「複写１」の処理が開始されると（ステップＳ６１）、まずＣＰＵ４４はＩＤモードの選択を行う（ステップＳ６２）。続いて、ＣＰＵ４４は複写、終了、その他の動作のいずれが選択されているかを判定する（ステップＳ６３）。
【００４６】
ここで、複写が選択されているときは、ＣＰＵ４４はＩＤモードの有無を判定する（ステップＳ６４）。ＩＤモードであるときは、マスク処理部分にＩＤを付加し、これをインデックス情報に追加して圧縮された画像情報を外部出力回路３４により外部に出力する（ステップＳ６５）。最後にＩＤコードを出力し（ステップＳ６６）、「複写１」の処理を終了する（ステップＳ６８）。
【００４７】
一方、上記ステップＳ６４にてＩＤモードでないときは、入出力回路３２により複写する画像情報のうちマスク処理以外の部分をすべてＤＶＤ３０より読み出し、圧縮された画像情報のままインデックス情報と共に、外部出力回路３４により外部に出力して（ステップＳ６７）、「複写１」の処理を終了する（ステップＳ６８）。外部に出力された信号は外部装置、例えば、ＤＶＤ、テープ等に記録される。
【００４８】
また、上記ステップＳ６３にて複写、終了以外が選ばれているときは、上記ステップＳ６２へ戻り、ステップＳ６２以降の処理を繰り返し、終了が選ばれているときは、「複写１」の処理を終了する（ステップＳ６８）。
【００４９】
なお、上記ＩＤは再生時には読み出すことはできず、再生装置に入力された操作者を認識するためのＩＤとの照合用に用いられる。
図９は、図５に示したメインフローチャート中の「複写２」の処理を示すフローチャートである。
【００５０】
「複写２」が開始されると（ステップＳ７１）、まずＣＰＵ４４はイニシャライズを行う。このイニシャライズでは、変数ｊに“１”が設定される（ステップＳ７２）。続いて、ＣＰＵ４４は上述した「画像情報入手」を実行する（ステップＳ７３）。操作者は画像の選択を行い、ＣＰＵ４４はこれにより選択された画像に関する情報（ｊ）を画像ＲＡＭ３６にＢ（ｊ）で記録する（ステップＳ７４）。
【００５１】
次に、ＣＰＵ４４は複写、終了、その他の動作のいずれが選択されているかを判定する（ステップＳ７５）。複写が選択されているときは、画像ＲＡＭ３６に記録されたＢ（ｊ）に応じて、入出力回路３２により選択された画像がすべて圧縮された画像情報のままインデックス情報と共にＤＶＤ３０から読み出され、外部出力回路３４により外部に出力される（ステップＳ７６，Ｓ７７）。
【００５２】
続いて、ＣＰＵ４４は選択された画像情報がすべて外部に出力されたか否かを判定する（ステップＳ７８）。すべて外部に出力されていないときは、変数ｊをインクリメントして（ステップＳ７９）、上記ステップＳ７６へ戻り、ステップＳ７６以降の処理を繰り返す。一方、すべて外部に出力されたときは、「複写２」の処理を終了する（ステップＳ８０）。
【００５３】
また、上記ステップＳ７５にて複写、終了以外が選択されているときは、上記ステップＳ７３へ戻り、ステップＳ７３以降の処理を繰り返す。また、終了が選択されているときは、「複写２」の処理を終了する（ステップＳ８０）。
【００５４】
以上説明したように本第２の実施の形態によれば、大容量の画像情報が記録された記録媒体から必要な画像情報のみを的確に短時間で編集して複写することができる。また、圧縮された画像情報から、静止画にあってはその復元画像、及び動画にあってはその内容を示す画像情報をインデックスとして表示して選択可能とすることにより、必要な画像のみを短時間で複写することができる。また、記憶容量の小さい記憶媒体を有する装置であっても、ディスク媒体に記録された画像情報からその画像の内容を確認しながら必要な画像のみを短時間に複写することができる。
【００５５】
上記実施の形態では、インデックス画像だけを表示し、その情報に従って複写を指示するため、ディスク媒体に記録された画像情報は必ずしも圧縮された画像情報でなくてもよく、圧縮していない画像情報であっても画像を確認しながら短時間に複写ができる。さらに、外部出力回路と入出力回路を兼用してＤＶＤ３０を交換しながら複写するようにしてもよい。
【００５６】
また、編集はマスクレベルを複数設定して、ＩＤ付きで複写のレベルと、複写しないレベルを設定することにより、セキュリティ機能を持つ画像を設定することができる。複写時に編集コードがあっても、インデックス表示と組み合せて複写の確認変更を行うようにしてもよい。また、複写時は再度、ＤＶＤから画像を読み出すのではなく、圧縮された画像情報を画像ＲＡＭに記録しておき、これを出力して複写するようにしてもよい。
【００５７】
また、外部出力回路からの出力には圧縮された画像情報のまま出力する手段と、圧縮されていない画像情報を出力する手段を設けてもよい。このときの出力は１端子で切り替えて出力してもよいし、２端子で別々に出力してもよい。
【００５８】
さらに、動画を編集する場合は、現状のビデオ編集のように駒送り、早送り、通常、スロー送り等を選択可能にし、マスク情報を付加するようにするとよい。編集，複写を行う場合において、編集時にマスク情報と同様に再生順位コードを付加することにより、複写時にこの再生順位コード順に複写するようにしてもよい。
【００５９】
なお、本発明の上記実施形態によれば、以下のごとき構成が得られる。
（１）  ディスク媒体に記録されたディジタル圧縮画像を読み取る情報入力手段と、
上記読み取られたディジタル圧縮画像を復元する復元手段と、
復元された画像情報をインデックス表示する表示手段と、
上記表示されたインデックス画像の中から複写する画像を選択する選択手段と、
選択された画像を圧縮状態で出力する出力手段と、
を具備したことを特徴とする画像編集装置。
【００６０】
このような画像編集装置においては、情報入力手段はディスク媒体に記録されたディジタル圧縮画像情報を、復元手段はインデックス表示に必要な画像を圧縮画像情報から復元する。表示手段は復元された画像情報をインデックス表示し、選択手段は操作者によって選択されたインデックス画像から複写を行う画像に応じた信号を出力する。出力手段は、選択された画像情報を圧縮状態で出力する。
【００６１】
このように、圧縮された画像をインデックス表示に必要な部分のみ復元し表示することにより、必要とする記憶容量を小さくすることができ、さらにインデックス画像を見ながら必要な画像のみ複写することができる。
（２）  画像インデックス情報を有するディスク媒体に記録されたディジタル圧縮画像を読み取る入力手段と、
インデックス情報が記録された圧縮画像を復元する復元手段と、
復元された画像情報をインデックス表示する表示手段と、
表示されたインデックス画像の中から複写する画像を選択する選択手段と、
上記選択された画像を圧縮状態で出力する出力手段と、
を具備したことを特徴とする画像編集装置。
【００６２】
このような画像編集装置においては、入力手段は画像のインデックス情報を有するディスク媒体に記録されたディジタル圧縮画像情報を読み取り、復元手段はインデックス表示に必要な画像を含む情報を圧縮画像情報から復元する。表示手段は復元された画像情報をインデックス表示し、選択手段は操作者によって、選択されたインデックス画像から複写を行う画像に応じた信号を出力する。出力手段は、選択された画像情報を再度ディスク媒体から圧縮状態で出力する。
【００６３】
このように、圧縮された画像に記録されたインデックス情報に基づいてインデックス表示に必要な部分のみ復元し表示することにより、必要とする記憶容量を小さくすることができ、さらにインデックス画像を見ながら必要な画像のみ複写することができる。
（３）  動画と静止画とが混在してディジタル圧縮記録されたディスク媒体から圧縮画像を読み取る入力手段と、
上記入力手段からの信号を動画と静止画とに分別する分別手段と、
圧縮画像を復元する復元手段と、
復元された画像を動画タイトルと静止画とを区分してインデックス表示する表示手段と、
表示されたインデックス画像から複写する画像を選択する選択手段と、
上記選択された画像を圧縮状態で出力する出力手段と、
を具備したことを特徴とする画像編集装置。
【００６４】
このような画像編集装置においては、入力手段はインデックス情報と圧縮された動画と静止画が記録されたディスクよりインデックス情報とディジタル圧縮画像情報読み取り、分別手段は入力手段より動画または静止画ごとに分類する。復元手段は圧縮画像情報を復元し、表示手段は復元された画像情報を動画タイトルと静止画とを区別してインデックス表示する。選択手段は表示されたインデックス画像から複写を行う画像を選択し、出力手段は選択された画像情報を圧縮状態で出力する。
【００６５】
このように、圧縮された動画、静止画像を、これらとともに記録されたインデックス情報に基づいてインデックス表示に必要な部分のみ復元し、動画、静止画を区別可能に表示することにより、必要とする記憶容量を小さくすることができ、さらにインデックス画像を見ながら必要な画像のみ複写することができる。
（４）  上記インデックス情報は動画撮影時に自動もしくは手動のいずれか一方により付加されたタイトル情報であることを特徴とする（１）乃至（３）に記載の画像編集装置。
（５）  ディスク媒体に記録されたディジタル圧縮画像を読み取る入力手段と、
圧縮画像を復元する復元手段と、
復元された画像をインデックス表示する表示手段と、
表示されたインデックス画像の中から複写する画像を選択する選択手段と、
選択された画像を圧縮状態で出力する出力手段と、
を具備したことを特徴とする画像編集装置。
（６）  ディスク媒体に記録されたディジタル圧縮画像を読み取る入力手段と、
圧縮画像を復元する復元手段と、
復元された画像をインデックス表示する表示手段と、
表示されたインデックス画像の中から複写する画像を選択すると共に、ＩＤ情報を付加する選択手段と、
上記選択され、ＩＤ情報を付加された画像を圧縮状態で出力する出力手段と、
を具備したことを特徴とする画像編集装置。
（７）  上記ＩＤ情報が付加された画像は、該ＩＤ情報に基づいて再生制御されることを特徴とする（６）に記載の画像編集装置。
【００６６】
【発明の効果】
以上述べたように本発明によれば、記録媒体に記録された大容量の画像情報のうち必要な画像情報のみを短い時間で編集、複写することができる画像編集装置を提供することが可能である。
【図面の簡単な説明】
【図１】第１の実施の形態の画像編集装置の構成を示す図である。
【図２】上記画像編集装置の動作としての制御部１４の処理を示すフローチャートである。
【図３】インデックス画像の表示例を示す図である。
【図４】第２の実施の形態の画像編集装置の構成を示す図である。
【図５】上記画像編集装置の動作を示すメインフローチャートである。
【図６】図５に示したフローチャート中の「編集」の処理を示すフローチャートである。
【図７】図６に示したフローチャート中の「画像情報入手」の処理を示すフローチャートである。
【図８】図５に示したメインフローチャート中の「複写１」の処理を示すフローチャートである。
【図９】図５に示したメインフローチャート中の「複写２」の処理を示すフローチャートである。
【符号の説明】
２    ディスク
４    情報入力部
６    情報復元部
８    表示部
１０  選択部
１２  情報出力部
１４  情報出力部
２０  静止画
２２  動画のタイトル画像
２４  選択スイッチ表示
２６  スクロールバー
３０  ＤＶＤ（Ｄigital  Ｖideo  Ｄisc ）
３２  入出力回路
３４  外部出力回路
３６  画像ＲＡＭ
３８  画像表示出力回路
４０  スイッチ入力回路
４２  モニタ
４４  ＣＰＵ（Ｃentral  Ｐrocessing Ｕnit ）
【図１】
0003868025.tif 000002
【図２】
0003868025.tif 000003
【図３】
0003868025.tif 000004
【図４】
0003868025.tif 000005
【図５】
0003868025.tif 000006
【図６】
0003868025.tif 000007
【図７】
0003868025.tif 000008
【図８】
0003868025.tif 000009
【図９】
0003868025.tif 000010